(57)【特許請求の範囲】
【請求項１】
その一部を折り返し状態に折曲させて、樋の前耳部を押え止めする前爪を、樋受具本体の前方上端に固着した樋受金具において、
上記樋受具本体の前方上端は、上記前爪を貫通させる開口窓の無い板状に形成されており、且つ、上記前爪の基部が上記樋受具本体の前面に固着される構造であって、
前記前爪に、針金、紐等の線状体を掛止させる掛止片を形成した構造にしている樋受金具。
【請求項２】
請求項１において、
前記前爪に形成された掛止片は、前爪の一部を切り起こした突片として形成されている樋受金具。
【請求項３】
請求項１において、
前記前爪に形成された掛止片は、前爪の一部を折曲した突片として形成されている樋受金具。
【請求項４】
請求項１において、
前記前爪は、前記樋受具本体の前方上端に被せるための前記樋受具本体の厚みに応じて形成された段部と、
前記樋受具本体の前方上端を両側より囲うための一組の側片とを更に形成した構造にしている樋受金具。
【発明の詳細な説明】
【０００１】
【発明の属する技術分野】
本発明は、軒先等に配設される軒樋を支持する樋受金具に関し、詳しくは、樋受具本体の前方上端に掛止片を形成した樋受金具に関する。
【０００２】
【従来の技術】
図４は、特開平２００１−１４０４２２号に記載の従来の樋受金具を示す斜視図である。
【０００３】
この樋受金具アは、樋Ｔを装着可能であって、針金、紐等の線状体Ｓを掛止させる掛止片イを前方上端エａに形成させるとともに、その前方上端エａには、樋Ｔの前耳部Ｔａを抱持する折曲可能な前爪ウを立設した樋受具本体エから構成されている。
【０００４】
このような構成における、樋受金具アは、前爪ウに開口窓ウａを設け、樋受具本体エに設けた掛止片イをその開口窓ウａを貫通させるとともに、前爪ウを樋受具本体エの前方上端エａに固着して形成している。
【０００５】
【発明が解決しようとする課題】
しかしながら、上記従来の樋受金具アでは、前爪ウの幅寸法と樋受具本体エの幅寸法はほぼ同じ寸法であることが一般的であり、樋受具本体エに掛止片イを形成する場合、前爪ウの開口窓ウａより掛止片イが狭い幅寸法でなければ、掛止片イを開口窓ウａより貫通させることができない。従って、前爪ウおよび樋受具本体オの寸法が狭幅の場合、加工が困難となり、掛止片イを形成することが難しかった。
【０００６】
また、この掛止片イは、顧客のニーズで、地域によっては、必要としない地域があるため、製造者側としては、地域によって異なるあらゆるニーズに応えるために、掛止片イが必要でない場合に対しては、掛止片イを設けていない樋受具本体（不図示）と、開口窓ウａを設けていない前爪（不図示）とが必要となり、掛止片イが必要な場合に対しては、掛止片イを設けた樋受具本体エと、開口窓ウａを設けた前爪ウを取り揃えることが必要であった。
【０００７】
なお、図４において、オは、樋受具本体エを軒先等に取付ける取付具、カは、取付具オに樋受具本体エを締結する締結具である。
【０００８】
また、樋受具本体エとして、前面部エｂを回動軸エｃを介して図４矢印で示すように回動でき、かつ樋Ｔの後耳部Ｔｂを係止させる後側爪ウ’を設けた樋受具本体エを例示した。
【０００９】
本発明は、かかる課題を解決することを目的とするもので、掛止片を樋受具本体とは別体にし、前爪に掛止片を設けた樋受金具を提供している。
【００１０】
【課題を解決するための手段】
上記目的を達成するため、請求項１に係る樋受金具は、その一部を折り返し状態に折曲させて、樋の前耳部を押え止めする前爪を、樋受具本体の前方上端に固着した樋受金具において、上記樋受具本体の前方上端は、上記前爪を貫通させる開口窓の無い板状に形成されており、且つ、上記前爪の基部が上記樋受具本体の前面に固着される構造であって、前記前爪に、針金、紐等の線状体を掛止させる掛止片を形成した構造を特徴にしている。
【００１１】
請求項２に係る樋受金具は、請求項１において、前記前爪に形成された掛止片は、前爪の一部を切り起こした突片として形成した構造を特徴にしている。
【００１２】
請求項３に係る樋受金具は、請求項１において、前記前爪に形成された掛止片は、前爪の一部を折曲した突片として形成した構造を特徴にしている。
【００１３】
請求項４に係る樋受金具は、請求項１において、前記前爪は、前記樋受具本体の前方上端に被せるための前記樋受具本体の厚みに応じて形成された段部と、前記樋受具本体の前方上端を両側より囲うための一組の側片とを更に形成した構造を特徴にしている。
【００１４】
【発明の実施の形態】
以下、本発明に係る樋受金具を図面とともに説明する。
【００１５】
図１は、本発明の樋受金具の一実施例を示す斜視図である。
【００１６】
図１に示すように、本発明に係る樋受金具１は、その一部（先端部）を折り返し状態に折曲させて、樋Ｔの前耳部Ｔａを押え止めする前爪３を、樋受具本体４の前方上端４１に固着した樋受金具１において、樋受具本体４の前方上端４１は、前爪３を貫通させる開口窓の無い板状に形成されており、且つ、前爪３の基部３２が樋受具本体４の前面に固着される構造であって、前記前爪３に、針金、紐等の線状体Ｓを引っ掛けたり、もしくは巻きつけたりして、線状体Ｓを掛止させる掛止片２を形成した構造にしている。
【００１７】
なお、本発明において、前爪３に掛止片２を形成する場合には、例えば、図１に示すように、前爪３に掛止片２を溶接等により固着して形成したり、後述するように、前爪基部３２の一部を切り起こしたり、折曲したりして形成したりすればよい。
【００１８】
このように、本発明に係る樋受金具１は、多種多様な形状が考えられるが、少なくとも樋受具本体４とは、別体の前爪３に掛止片２を形成していれば足りる。
【００１９】
当該本発明に係る樋受金具１によれば、前爪３に掛止片２を設ける構造にしているので、前爪３および樋受具本体４の幅寸法に関係なく掛止片２を形成することができ、前爪３の加工が簡素化できる。
【００２０】
また、この掛止片２は、顧客のニーズで、地域によっては、必要であったり、必要でなかったりするため、掛止片２が必要な場合に、掛止片２を設けた前爪３を使用し、掛止片２が必要でない場合は掛止片２のない前爪３を使用することができる。すなわち、樋受具本体４の構造で相違するところが前爪３だけであるため、樋受具本体４の形状は同一の部品として、共用することができ、部品の集約が可能となる。
【００２１】
なお、ここでは、角型の樋Ｔの形状に合わせた樋受具本体４を図示しているが、半円状やその他の形状の樋であっても同様である。
【００２２】
また、樋受具本体４と前爪３は、締結具、溶接、リベット止め、スポット溶接等により固着される。
【００２３】
この本発明に係る樋受金具１は以上の構成からなり、次にその樋受金具１の施工要領の一例を図１に基づき説明する。
【００２４】
本発明に係る樋受金具１を軒先等に取付ける場合には、例えば、まず、取付具５を軒先等の適所に、釘、ビス等により固定し、該取付具５に樋受具本体４をボルト、ナット等の締結具６で締結する。つぎに、回動軸４３で支持されている樋受具本体４の前面部４２を図１矢印で示すように回動させ、樋Ｔを樋受具本体４の内側に嵌めこむ。
【００２５】
このように、樋受具本体４は回動軸４３で支持され、回動できるため、樋Ｔが嵌め込みしやすい構造となっている。
【００２６】
続いて、回転させた樋受具本体４の前面部４２を元の垂直の位置（実線で示す位置）に戻し、樋受具本体４の前方上端４１に設けた前爪３を指で内側に折曲させ、樋Ｔの前耳部Ｔａを係止する。
【００２７】
一方、３’は樋Ｔの後耳部Ｔｂを係止させる後側爪である。この後側爪３’は、樋Ｔの後耳部Ｔｂを係止する。
【００２８】
このように樋Ｔは、前側は前爪３、後側は後側爪３’によって、前耳部Ｔａ，後耳部Ｔｂに係止されるため、樋受金具１によって、ぐらつくことなく、しっかり固定して取り付けることができ、樋受金具１からの落下離脱防止手段となっている。
【００２９】
また、前爪３に設けられた掛止片２に針金、紐等の線状体Ｓの一端を引っ掛け、もしくは巻きつけ、他端を取付具５の適所に結びつけたりして、樋Ｔの上側を架け渡すように掛止する。
【００３０】
このように線状体Ｓでも、樋Ｔを係止しているため、より一層樋Ｔをぐらつかせることなくしっかり固定して取り付けることができ、また、前爪３もしくは、後側爪３’が、永年の使用による劣化や地震等の衝撃等により欠損しても、線状体Ｓが、樋Ｔの落下離脱を防止する役割を果たすことができる。
【００３１】
なお、図１においては、取付具５と樋受具本体４を部体にして締結具６で締結した実施例を例示したが、取付具５と樋受具本体４を一体に形成しても良い。
【００３２】
また、樋受具本体４として、前面部４２が回動する樋受具本体４を例示したが、前面部４２ｈが回動せず、樋受具本体４全体が一体となった樋受具本体（不図示）を使用しても良い。
【００３３】
図２（ａ）〜（ｃ）は、本発明の異なる実施例を示す要部拡大斜視図である。前爪３に形成された掛止片２は、前爪基部３２を切り起こした突片で形成されている。
【００３４】
図２（ａ）は、前爪基部３２の中央部より下方に向けて切込みをいれて、切り起こして突片を形成している。図２（ａ）に示すような前爪３は、切込みをいれ、切り起こして突片を形成するため、前爪３と掛止片２を一体成形でき、図２（ｂ）や（ｃ）のような段部を設けていない単純な構造であるため、加工がしやすい。
【００３５】
図２（ｂ）は、前爪基部３２の下端部より下方に向けて切込みをいれて、切り起こして突片を形成しており、前爪３の折り曲げ部分には、樋受具本体４の前方上端４１に被せるため、樋受具本体４の厚みに応じて形成された段部３１と、樋受金具本体４の前方上端４１を両側より囲うための一組の側片３３とを設けている。
【００３６】
図２（ｃ）は、前爪基部３２の折り曲げ付近より下方に向けて切込みをいれて、切り起こして突片を形成しており、前爪３の折り曲げ部分には、樋受具本体４の前方上端４１に被せるため、樋受具本体４の厚みに応じて形成された段部３１と、樋受具本体４の前方上端４１を両側より囲うための一組の側片３３とを設けている。
【００３７】
図２（ｂ）や（ｃ）に示すような前爪３は、切込みをいれ、切り起こして突片を形成するため、一体成形でき、かつ図１に示すように、樋受具本体４の厚みに応じて形成された段部３１を樋受具本体４の前方上端４１に被せるとともに、一組の側片３３にて前方上端４１を両側より囲うことができるため、前爪３と樋受具本体４とをがたつくことなく、取付固定することができる。
【００３８】
さらに、前爪３に樋受具本体４の厚みに応じた段部３１を設けていることにより、前爪３を指で内側に折曲させる際、前爪３と樋Ｔの前耳部Ｔａとの隙間が無くなった状態で、内側に折曲する為、より一層強く係止することができる。
【００３９】
ここでは、切り起こして突片を形成する前爪３の実施例を示しているが、その他、所望の個所で前爪基部３２を切り起こすことで突片を形成し、その突片が針金、紐等の線状体Ｓを掛止させる掛止片２と成せる形状であればよい。
【００４０】
図３（ａ）〜（ｃ）は、本発明の更に異なる実施例を示す要部拡大斜視図である。前爪３に形成された掛止片２は、前爪基部３２を折曲した突片で形成されている。
【００４１】
図３（ａ）は、前爪基部３２の下端部を折り曲げて突片を形成している。図３（ａ）に示すような前爪３は、折り曲げて突片を形成するため、前爪３と掛止片２を一体成形でき、図３（ｂ）や（ｃ）のような段部３１を設ていない単純な構造であるため、加工がしやすい。
【００４２】
図３（ｂ）は、前爪基部３２の下端部より折り曲げて突片を形成しており、前爪３の折り曲げ部分には、樋受具本体４の前方上端４１に被せるため、樋受具本体４の厚みに応じて形成された段部３１と、樋受具本体４の前方上端４１を両側より囲うための一組の側片３３とを設けている。
【００４３】
図３（ｃ）は、前爪基部３２の下端部を切り起こし、その切り起こした部分を折り曲げて突片を形成しており、前爪３の折り曲げ部分には、樋受具本体４の前方上端４１に被せるため、樋受具本体４の厚みに応じて形成された段部３１と、樋受具本体４の前方上端４１を両側より囲うための一組の側片３３とを設けている。
【００４４】
図３（ｂ）や（ｃ）に示すような前爪３は、折り曲げて突片を形成するため、一体成形でき、かつ図１に示すように、樋受具本体４の厚みに応じて形成された段部３１を樋受具本体４の前方上端４１に被せるとともに、一組の側片３３にて、前方上端４１を両側より囲うことができるため、前爪３と樋受具本体４とをがたつくことなく、取付固定することができる。
【００４５】
さらに、前爪３に樋受具本体４の厚みに応じた段部３１を設けていることにより、前爪３を指で内側に折曲させる際、前爪３と樋Ｔの前耳部Ｔａとの隙間が無くなった状態で、内側に折曲する為、より一層強く係止することができる。
【００４６】
ここでは、切り起こして突片を形成する前爪３の実施例を示しているが、その他、所望の個所で、前爪基部３２を切り起こすことで突片を形成し、その突片が針金、紐等の線状体Ｓを掛止させる掛止片２と成せる形状であればよい。
【００４７】
【発明の効果】
本発明によれば、次のような効果がある。
【００４８】
請求項１に係る樋受金具によれば、樋受具本体の前方上端は、前爪を貫通させる開口窓の無い板状に形成されており、且つ、前爪の基部が樋受具本体の前面に固着される構造であって、しかも、この前爪に掛止片を設ける構造にしているので、樋受具本体の幅寸法に関係なく掛止片を形成することができ、加工が簡素化できる。
【００４９】
また、掛止片が必要な場合に、掛止片を設けた前爪を使用し、掛止片が必要でない場合は掛止片のない前爪を使用することができる。すなわち、地域にあわせた商品対応ができ、樋受具本体の構造で相違するところが前爪だけであるため、樋受具本体の形状は同一の部品として、共用することができ、部品の集約が可能となる。
【００５０】
請求項２、３に係る樋受金具によれば、前爪と掛止片を一体成形できるので、加工が簡単である。
【００５１】
請求項４に係る樋受金具によれば、前爪を樋受具本体の前方上端に固着する場合、折曲段部で樋受具本体の上縁、一組の側片で、樋受具本体の側端を支持するので、がたつくことなく、取付固定することができる。また、前爪に樋受具本体４の厚みに応じた段部を設けていることにより、前爪を指で内側に折曲させる際、前爪と樋の前耳部との隙間が無くなった状態で、内側に折曲する為、係止力がより一層強くなる。
【図面の簡単な説明】
【図１】本発明に係る樋受金具の一実施例を示す斜視図
【図２】本発明の異なる実施例を示す要部拡大斜視図
【図３】本発明の異なる実施例を示す要部拡大斜視図
【図４】従来の樋受金具を示す斜視図
【符号の説明】
Ｔ    樋
Ｔａ  前耳部
Ｔｂ  後耳部
Ｓ    線状体
１    樋受金具
２    掛止片
３    前爪
３’  後側爪
３１  段部
３２  前爪基部
３３  側片
４    樋受具本体
４１  前方上端
４２  前面部
４３  回動軸
５    取付具
６  締結具
【図１】
0003626477.tif 000002
【図２】
0003626477.tif 000003
【図３】
0003626477.tif 000004
【図４】
0003626477.tif 000005